(57)【要約】【課題】透過型の画像表示装置を介して変動表示装置を視認できるようにした遊技機において、変動表示装置の識別情報を視認し易くした遊技機を提供する。【解決手段】本発明の遊技機は、遊技に必要な複数種類の識別情報を変動表示する回転リール表示装置と、回転リール表示装置の図柄情報を視認可能にするように透過型の画像表示装置３０とを有する。透過型の画像表示装置３０は、画像表示する液晶パネル３４と、この表示パネル３４の裏側に設けられ、表示パネルを照射すると共に、回転リール表示装置の図柄情報を視認させる表示窓３７Ｌ，３７Ｃ，３７Ｒが形成された導光板３７と、を有しており、表示窓の枠部分３７Ｌ，３７Ｃ，３７Ｒに、導光板３７内に導入される導入光を回転リールの頂部領域に向けて偏向させるプリズムシート４０を設けたことを特徴とする。【選択図】    図６
2008178520.tif 000002
【特許請求の範囲】
【請求項１】
遊技に必要な複数種類の識別情報を変動表示する変動表示装置と、
前記変動表示装置の識別情報を視認可能にするように透過型の画像表示装置と、
を有する遊技機であって、
前記透過型の画像表示装置は、画像表示する表示パネルと、この表示パネルの裏側に設けられ、前記表示パネルを照射すると共に、前記変動表示装置の識別情報を視認させる表示窓が形成された導光板と、を有しており、
前記表示窓の枠部分に、前記導光板内に導入される導入光を前記変動表示装置の識別情報表示部に向けて偏向させる偏向部材を設けたことを特徴とする遊技機。
【請求項２】
前記変動表示装置は、外周に識別情報が記載された回転リールを備えており、前記偏向部材は、前記回転リールの頂部領域に向けて前記導入光を射出するように設置されていることを特徴とする請求項１に記載の遊技機。
【発明の詳細な説明】
【技術分野】
【０００１】
本発明は、例えば、スロットマシン、パチンコ機など、各種の遊技情報を表示可能な画像表示装置を備えた遊技機に関する。
【背景技術】
【０００２】
従来、上記した遊技機として、演出効果を高めるために、視覚的に認識される画像表示装置を組み込んでいるものが知られている。画像表示装置では、遊技を行っている間、遊技者の期待感や興奮感を高めるために、各種のキャラクタを表示させて様々な演出（演出画像表示）が行われる。
【０００３】
上記した画像表示装置は、遊技機の筐体のいずれかの部分に設置されるが、例えば、特許文献１に開示されているように、画像表示装置を透過型に構成し、その背面に設置された複数種類の識別情報を変動表示する変動表示装置（回転リール表示装置）の識別情報を画像表示装置の画像と重ねて視認できるように構成した遊技機（スロットマシン）が知られている。このスロットマシンは、所定量のＢＥＴ及びスタートレバーの操作が行われたことを条件に、複数種類の識別情報（図柄）の可変表示及び停止表示を行い、その停止表示された図柄の組み合わせに基づいて、所定量の遊技価値を付与するように構成されている。
【０００４】
ところで、上記したような透過型の画像表示装置を備えた遊技機は、画像表示装置を構成する拡散シートや導光板等に回転リールの設置位置に対応して矩形の表示窓が形成されており、遊技者は、この表示窓から変動表示装置を構成する回転リールが視認できるようになっている。また、遊技機の筐体内部の画像表示装置の背部には、前記回転リールの前方の上下位置（表示窓の上下位置）に蛍光ランプが設置されており、この蛍光ランプによって回転リールを照射し、識別情報を視認し易いようにしている。
【特許文献１】特開２００５−３４２３４４号
【発明の開示】
【発明が解決しようとする課題】
【０００５】
上記した回転リールは、表示窓の上下に設置された前記蛍光ランプによって照射されるものの、回転リールの表面は、断面円形で湾曲しているため、当該湾曲している頂点部分（遊技者が表示窓から視認する部分であり、入賞ライン上に該当する部分）が暗くなってしまい、回転リール上の識別情報が見難いという問題がある。
【０００６】
本発明は、上記した問題に着目して成されたものであり、透過型の画像表示装置を介して変動表示装置を視認できるようにした遊技機において、変動表示装置の識別情報を視認し易くした遊技機を提供することを目的とする。
【課題を解決するための手段】
【０００７】
上記した目的を達成するために、請求項１に係る遊技機は、遊技に必要な複数種類の識別情報を変動表示する変動表示装置と、前記変動表示装置の識別情報を視認可能にするように透過型の画像表示装置と、を有する構成であって、前記透過型の画像表示装置は、画像表示する表示パネルと、この表示パネルの裏側に設けられ、前記表示パネルを照射すると共に、前記変動表示装置の識別情報を視認させる表示窓が形成された導光板と、を有しており、前記表示窓の枠部分に、前記導光板内に導入される導入光を前記変動表示装置の識別情報表示部に向けて偏向させる偏向部材を設けたことを特徴とする。
【０００８】
上記した構成の遊技機によれば、遊技者は、遊技中において、変動表示装置の識別情報を、透過型の画像表示装置で表示される画像情報に重ねて視認することが可能となる。この場合、識別情報は、導光板に形成された表示窓を介して視認することとなるが、表示窓の枠部分には、導入光を変動表示装置の識別情報表示部に向けて偏向させる偏向部材が設けられているため、遊技者は、表示窓を介して視認する識別情報を見易くなる。また、識別情報は、表示窓を介して視認されることから、その表示窓の枠部に偏向部材を設けることで、効率的に識別情報を照射することが可能になる。
【０００９】
また、請求項２に係る発明においては、前記変動表示装置は、外周に識別情報が記載された回転リールを備えており、前記偏向部材は、前記回転リールの頂部領域に向けて前記導入光を射出するように設置されていることを特徴とする。
【００１０】
上記した構成では、変動表示装置を構成する回転リールの頂部領域は、通常、入賞ラインとなっており、その頂部領域を偏向部材によって照射することで、遊技者は遊技結果を把握し易くなる。
【発明の効果】
【００１１】
本発明によれば、透過型の画像表示装置を介して変動表示装置を視認できるようにした遊技機において、変動表示装置の識別情報を視認し易くすることが可能になる。
【発明を実施するための最良の形態】
【００１２】
以下、本発明に係る遊技機の一実施の形態について、スロットマシンを例示して具体的に説明する。  
図１は、スロットマシンの一構成例を示した斜視図、図２は、スロットマシンの遊技領域を拡大して示す図、図３は、変動表示装置の一例を示す回転リール表示装置を示す図、そして、図４は、図３に示した回転リールの１つの構成を示す図である。
【００１３】
本実施形態に係るスロットマシン１は、前面に開閉可能な前面扉２を有する筐体３を備えている。前面扉２には、その前面のほぼ中央より上部に、透過型の画像表示装置を構成する液晶表示部２ａが設けられている。前記筐体３の内部には、前面扉２の内側（液晶表示部２ａの背面）に、変動表示装置を構成する３個の回転リール３Ｌ，３Ｃ，３Ｒを備えた回転リール表示装置３が設置されている。それぞれの回転リールの外周表面には、複数種類の識別情報、例えば、図柄列が描かれており、各回転リールに描かれた図柄は、液晶表示部２ａに形成される矩形の図柄表示領域２１Ｌ，２１Ｃ，２１Ｒ（図２参照）を通して視認できるようになっている。
【００１４】
各回転リール３Ｌ，３Ｃ，３Ｒに対応して、図柄表示領域２１Ｌ，２１Ｃ，２１Ｒには、水平に延びる１本の入賞ラインＬ１が設けられている。なお、図示しないが、この入賞ラインに加えて、上下夫々に別の入賞ラインを設けても良く、更に斜めに２本の入賞ラインを設けても良い。入賞ラインを複数設けるときは、遊技に投入される遊技価値の量に応じて本数が変わるようにすると良い。
【００１５】
前記液晶表示部２ａは、図柄表示領域２１Ｌ，２１Ｃ，２１Ｒ、これらを囲むようにして設けられた窓枠表示領域２２Ｌ，２２Ｃ，２２Ｒ、及び演出表示領域２３を備えており、前記窓枠表示領域２２Ｌ，２２Ｃ，２２Ｒは、回転リール３Ｌ，３Ｃ，３Ｒ上に描かれた図柄の表示窓の枠を表している。また、演出表示領域２３では、例えば、ボーナスの入賞成立を実現可能であることを確定的に報知する演出画像の表示、遊技の興趣を増大するための演出画像、遊技者が遊技を有利に進めるために必要な情報、デモンストレーション用の演出画像などの動的な画像表示が行われる。
【００１６】
もちろん、液晶表示部２ａでは、動的な画像以外にも、静止画像を表示するようにしても良い。このような静止画像は、液晶表示部における画像制御で表示しても良いし、静止画が描かれたパネルを取着した構成であっても良い。
【００１７】
上記した液晶表示部２ａの下方には、略水平面の台座部４が形成されている。この台座部４の左側には、遊技者の押圧操作により、遊技価値（例えば、クレジットされているメダル）を賭けるためのＢＥＴスイッチ５，６が設けられている。また、台座部４の右側には、遊技価値であるメダルを投入するメダル投入口７が設けられており、その右側には、遊技価値である紙幣を挿入する紙幣挿入口８が設けられている。
【００１８】
前記台座部４の中央部には、遊技者の押圧操作により、上記回転リールを回転させ、図柄表示領域２１Ｌ，２１Ｃ，２１Ｒ内での図柄の変動を開始（ゲームを開始）するためのスタートボタン（遊技者による操作が可能な遊技開始指令手段）１０が設けられている。
【００１９】
また、前記前面扉２の下方には、メダル払出口１３及びメダル受け部１４が設置されると共に、メダル払出口１３の両サイドには、演出等の効果音を発生するスピーカ１５Ｌ,１５Ｒが設けられている。さらに、前面扉２の上方には、入賞図柄の組合せ及びメダルの配当枚数などを表示する配当表パネル１６が設けられている。
【００２０】
上記した液晶表示部２ａは、保護ガラス、表示板、液晶パネル、導光板、反射フィルム、光源、及び液晶パネル駆動用のＩＣを搭載したテーブルキャリアパッケージ（ＴＣＰ）からなり液晶パネルの端子部に接続されるフレキシブル基板、などを備えた透過型の液晶表示装置３０で構成されている。この透過型の液晶表示装置３０の詳しい構成については後述する。
【００２１】
前記液晶パネルの表示モードは、ノーマリーホワイトに設定されており、液晶を駆動できない事態が生じても、図柄表示領域２１Ｌ，２１Ｃ，２１Ｒを通して、各回転リール３Ｌ，３Ｃ，３Ｒ上に配置された図柄を視認でき、遊技を継続できるようになっている。そして、図柄表示領域２１Ｌ，２１Ｃ，２１Ｒにある液晶を駆動しない場合には、前記回転リール３Ｌ，３Ｃ，３Ｒの図柄が視認できると共に、図柄表示領域２１Ｌ，２１Ｃ，２１Ｒにある液晶を駆動すると、その部分での演出表示などを視認することが可能となっている。
【００２２】
図３及び図４に示すように、回転リール表示装置３の回転リール３Ｌ，３Ｃ，３Ｒの内部には、ＬＥＤランプ２９が設置されている。このＬＥＤランプ２９は、回転リール３Ｌ，３Ｃ，３Ｒ上に描かれた図柄の照明手段、及び液晶パネルの領域のうち、主として図柄表示領域２１Ｌ，２１Ｃ，２１Ｒに対応する領域の照明手段としての機能を有する。
【００２３】
回転リール３Ｌ，３Ｃ，３Ｒの内部には、回転リール３Ｌ，３Ｃ，３Ｒの回転が停止した場合に、各図柄表示領域２１Ｌ，２１Ｃ，２１Ｒに現われる縦３列の図柄（合計９個の図柄；図２参照）の裏側にＬＥＤ収納用回路基板２４が設置されている。ＬＥＤ収納用回路基板２４は、それぞれ３つのＬＥＤ収納部を有し、ここに複数のＬＥＤランプ２９が設けられている。図において、合計９個のＬＥＤ収納部を、上段左から順に、Ｚ１，Ｚ２，Ｚ３、中央左から順に、Ｚ４，Ｚ５，Ｚ６、下段左から順に、Ｚ７，Ｚ８，Ｚ９で示してあり、各収納部に設けられたＬＥＤランプ２９は、回転リール３Ｌ，３Ｃ，３Ｒの外周面に沿って装着され図柄が描かれたリールシートの後面側を白色の光で照明する。このリールシートは、透光性を有しており、ＬＥＤランプ２９により出射された光は前面側へ透過するようになっている。
【００２４】
図４に示すように、各回転リール（左側の回転リール３Ｌのみ図示）は、同形の２本の環状フレーム２５及び２６を所定の間隔（リール幅）だけ離して複数本の連結部材２７で連結することで形成された円筒形のフレーム構造と、そのフレーム構造の中心部に設けられたステッピングモータ５３Ｌの駆動力を環状フレーム２５，２６へ伝達する伝達部材２８とにより構成されている。
【００２５】
また、各回転リールの内側に配置されたＬＥＤ収納用回路基板２４は、夫々複数のＬＥＤランプ２９を収納する３つのＬＥＤ収納部Ｚ１，Ｚ４，Ｚ７を備えている。ＬＥＤ収納用回路基板２４は、遊技者が図柄表示領域２１Ｌを通して視認できる図柄（合計３個の図柄）の各々の裏側にＬＥＤ収納部Ｚ１，Ｚ４，Ｚ７が位置するように設置されている。なお、回転リール３Ｃ，３Ｒにつていは図示しないが、回転リール３Ｌと同様の構造を有しており、各々の内部にＬＥＤ収納用回路基板２４が設けられている。
【００２６】
次に、前記液晶表示部２ａを構成する透過型の液晶表示装置３０の構成について、図５及び図６を参照して説明する。なお、図５は、液晶表示装置３０を筐体内部側から見た概略斜視図、図６は、液晶表示装置３０の一部の構成の展開図である。
【００２７】
液晶表示装置３０は、回転リール３Ｌ，３Ｃ，３Ｒの表示領域より前方側で、所定の間隔をあけて設置されており、偏光フィルム３２、液晶パネル３４、拡散シート３６、導光板３７、反射板３８、いわゆる白色光源（全ての波長の光を人の目に特定の色彩が目立たない割合で含む）である蛍光ランプ（個別照明手段）３７ａ，３７ｂ、ランプホルダ３９ａ〜３９ｄ、液晶パネル駆動用のＩＣを搭載したテーブルキャリアパッケージ（ＴＣＰ）からなり液晶パネル３４の端子部に接続したフレキシブル基板（図示せず）等を備えている。なお、前記偏光フィルム３２の表面には、液晶パネル３４の表示内容や遊技状況に基づいて押圧操作されるタッチパネル５０が被着されている（タッチパネルの代わりに保護ガラスが取着されていても良い）。
【００２８】
前記液晶パネル３４は、薄膜トランジスタが形成されたガラス板等の透明基板と、これに対向する透明基板との間に液晶を封入することによって構成され、前面側には液晶パネルの液晶分子の振動方向の光（直線偏光）を作り出す偏光フィルム３２が取着され、裏面側には導光板３７からの光を拡散して液晶パネル３４に均一に光を照射させる拡散シート３６が取着されている。前記液晶パネル３４の表示モードは、ノーマリーホワイトに設定されている。ここで、ノーマリーホワイトとは、液晶を駆動していない状態で白表示（表示面側に光が行く、すなわち透過した光が外部から視認される）となる構成である。ノーマリーホワイトに構成された液晶パネル３４を採用することにより、液晶を駆動できない事態が生じた場合であっても、図柄表示領域２１Ｌ，２１Ｃ，２１Ｒを通して回転リール３Ｌ，３Ｃ，３Ｒ上に描かれた図柄を視認することができ、遊技を継続することが可能となる。つまり、そのような事態が発生した場合にも、回転リール３Ｌ，３Ｃ，３Ｒの変動表示態様及び停止表示態様を中心とした遊技を行うことが可能となっている。
【００２９】
前記導光板３７は、蛍光ランプ３７ａ，３７ｂからの光を液晶パネル３４へ導き出す（液晶パネルを照明する）ために液晶パネル３４の裏側に設けられ、例えば２ｃｍ程度の厚さを有するアクリル系樹脂などの透光性部材（導光機能を有する）で構成されている。
【００３０】
前記反射板３８は、例えば白色のポリエステルフィルムやアルミ薄膜に銀蒸着膜を形成したものが用いられ、導光板３７に導入された光を導光板３７の正面側に向けて反射させる。
【００３１】
前記拡散シート３６、導光板３７、及び反射板３８には、回転リール３Ｌ，３Ｃ，３Ｒの設置位置に対応して、それぞれ表示窓となる透過領域（３６Ｌ，３６Ｃ，３６Ｒ）、（３７Ｌ，３７Ｃ，３７Ｒ）、（３８Ｌ，３８Ｃ，３８Ｒ）が形成されている。各透過領域の大きさ及び位置は、図２に示した図柄表示領域２１Ｌ，２１Ｃ，２１Ｒと一致するように形成されており、透過領域以外の領域では、導光板３７に導入された光を反射して、液晶パネル３４の窓枠表示領域２２Ｌ，２２Ｃ，２２Ｒ、及び演出表示領域２３の照明手段として機能する。この構成によれば、遊技者は、透過領域を通して各回転リールの可変表示、及び停止表示を視認し得るので、図柄表示領域２１Ｌ，２１Ｃ，２１Ｒにおける回転リールの表示態様、及び液晶表示部２ａの表示態様による遊技を楽しむことができる。
【００３２】
前記蛍光ランプ３７ａ，３７ｂは、導光板３７の上端部及び下端部に沿って配置され、両端はランプホルダ３９ａ，３９ｂ及びランプホルダ３９ｇ，３９ｈにより支持されている。蛍光ランプ３７ａ，３７ｂは、導光板３７に光を導入し、液晶パネル３４の領域のうち、主として窓枠表示領域２２Ｌ，２２Ｃ，２２Ｒ及び演出表示領域２３に対応する領域の照明手段として機能する。
【００３３】
また、前記導光板３７には、表示窓３７Ｌ，３７Ｃ，３７Ｒを構成する枠部分に、導光板３７内に導入される蛍光ランプ３７ａ，３７ｂからの導入光を、回転リールの表面に向けて偏向させる偏向部材が設けられている。偏向部材は、蛍光ランプ３７ａ，３７ｂからの導入光を液晶パネルのバックライトとして利用する以外に、回転リールを照射するのに利用するものであり、表示窓の枠部分に容易に装着できるように、例えば、シート状に形成されたプリズムシート（図７参照）によって構成することが可能である。
【００３４】
図７に示すように、プリズムシート４０は、基材となる樹脂製のシートに、例えば、断面略三角形状の複数のプリズム４１を周期的に配列した構成となっており、周期的に配列されたプリズム４１の傾斜面４１ａに入射した光を、その表面で反射して偏向するよう構成されている。このようなプリズムシート４０は、例えば、ＰＥＴ、ポリカーボネート、アクリル樹脂などの樹脂材料によって構成されるシート材料と共に一体形成することが可能であり、周期的なプリズム４１を構成する各垂直面４１ｂには、導入光が散乱しないように遮光性材料４２を塗布しておくことが好ましい（図において、遮光性材料は斜線で示してある）。
【００３５】
上記したプリズムシート４０の枠部分に対する設置状態は、図８に示すように、導光板３７に導入される導入光Ｒａを、上記したように、周期的に形成されたプリズム４１によって、回転リール３Ｌの頂部領域側に偏向（偏向光Ｒｂ）するように設定される。すなわち、プリズムシート４０は、表示窓３７Ｌを構成する枠部分の内、導入光が伝搬して来る位置となる上下枠３７ＬＡ，３７ＬＢに接着剤等によって取着される。この場合、回転リール３Ｌは、図に示すように、表示窓側が湾曲しており、その上下位置（図２で示す図柄列の内、上下の図柄）が暗くなる傾向になることから、特に、中心図柄位置に対して上下の図柄領域に偏向光Ｒｂが照射されるように設定しておくことが好ましい。なお、図面では、表示窓３７Ｌ、及び回転リール３Ｌの部分のみについて図示したが、表示窓３７Ｃ，３７Ｒ、及び回転リール３Ｃ，３Ｒについても同様な構成が採用される。
【００３６】
上記した構成のスロットマシンによれば、遊技者は、遊技中において、回転リールの図柄情報を、透過型の液晶表示装置３０で表示される画像情報に重ねた状態で、導光板３７に形成された表示窓３７Ｌ，３７Ｃ，３７Ｒ（図柄表示領域２１Ｌ，２１Ｃ，２１Ｒ）を介して視認することとなる。この場合、各表示窓の枠部分に設置されたプリズムシート４０により、回転リールの湾曲部分である上下の図柄位置を照射することから、遊技者は、表示窓を介して視認する図柄情報を見易くなる。
【００３７】
もちろん、上記した構成において、反射板３８の裏側の上方位置及び下方位置において、回転リール３Ｌ，３Ｃ，３Ｒに向かって光を照射する蛍光ランプを配置しても良い。すなわち、このような傾向ランプを配置することで、回転リール３Ｌ，３Ｃ，３Ｒの表面領域がより明るく照射されるようになり、遊技者は、回転リールの図柄情報を視認し易くなると共に、ここからの反射光は、液晶パネル３４を照明するようになる。従って、このような蛍光ランプは、回転リール３Ｌ，３Ｃ，３Ｒ上に配置された図柄の照明手段に加え、液晶パネル３４の領域のうち、主として図柄表示領域２１Ｌ，２１Ｃ，２１Ｒに対応する領域の照明手段として機能させることができる。
【００３８】
以上、本発明の実施形態について説明したが、本発明は、上記した実施形態に限定されることはなく、種々変形することが可能である。
【００３９】
上記した実施形態では、偏向部材としてプリズムシートを用いたが、導光板３７に導入される光を回転リールの頂部領域に偏向させる機能があれば様々な部材を用いることが可能である。例えば、銀などの反射性を有する被膜を形成した反射シートを用いても良い。
【００４０】
また、上記した実施形態では、変動表示装置は、機械的に回転する回転リール装置として構成されていたが、このような機械的に動作して視認される装置に限定されることはない。例えば、変動表示装置は遊技に関する画像を表示する装置、例えばＣＲＴ、ＬＣＤ、プラズマディスプレイ、有機ＥＬディスプレイ、液晶プロジェクタ等によって構成しても良く、上記した偏向部材によって、遊技者が視認する領域を照射するようにすれば良い。
【００４１】
また、本発明は、上記したようなスロットマシンの他、パチンコ遊技機、アレンジボール、雀球遊技機、ビデオスロット、ビデオポーカ等、様々な遊技機に適用しても良い。
【図面の簡単な説明】
【００４２】
【図１】本発明に係る遊技機の一例であるスロットマシンを示した斜視図。
【図２】スロットマシンの遊技領域を拡大して示す図。
【図３】変動表示装置の一例を示す回転リール表示装置を示す図。
【図４】図３に示す回転リールの１つの構成を示す図。
【図５】液晶表示装置を筐体内部側から見た概略斜視図。
【図６】液晶表示装置の一部の構成の展開図。
【図７】プリズムシートの概略構成を示す図。
【図８】導光板に導入された光を回転リールの頂部領域に向けて偏向させる状態を示した模式図。
【符号の説明】
【００４３】
１  スロットマシン（遊技機）
２ａ  液晶表示部
３  回転リール表示装置（変動表示装置）
３Ｌ，３Ｃ，３Ｒ  回転リール
３０  液晶表示装置
３２  偏光フィルム
３４  液晶パネル
３７  導光板
３７Ｌ，３７Ｃ，３７Ｒ  表示窓
４０  プリズムシート（偏向部材）
【図１】
2008178520.tif 000003
【図２】
2008178520.tif 000004
【図３】
2008178520.tif 000005
【図４】
2008178520.tif 000006
【図５】
2008178520.tif 000007
【図６】
2008178520.tif 000008
【図７】
2008178520.tif 000009
【図８】
2008178520.tif 000010